(57)【特許請求の範囲】
【請求項１】
可撓性を有するシート片（７），（７）とガセット片（１２）とにより吊り下げ可能な容器本体（１）が形成され、該容器本体（１）を吊り下げた状態で被充填物である栄養剤等の投与を行う袋状容器であって、
前記ガセット片（１２）は、容器本体（１）の内側に折り込まれるように、シート片（７），（７）の一方の側縁部（１３ａ）にのみ設けられており、
前記シート片（７），（７）の上縁部（１０）に設けられた充填具（３）と、
前記シート片（７），（７）の下縁部（１１）に設けられ被充填物を注ぎ出すための注出具（５）と、
前記シート片（７），（７）の上縁部（１０）で且つガセット片（１２）側の端部に設けられ容器本体（１）を傾斜した状態で吊り下げる吊下手段（９ａ）と
を有することを特徴とする袋状容器。
【請求項２】
可撓性を有するシート片（７），（７）とガセット片（１２）とにより吊り下げ可能な容器本体（１）が形成され、該容器本体（１）を吊り下げた状態で被充填物である栄養剤等の投与を行う袋状容器であって、
前記ガセット片（１２）は、容器本体（１）の内側に折り込まれるように、シート片（７），（７）の一方の側縁部（１３ａ）にのみ設けられており、
前記シート片（７），（７）の上縁部（１０）に設けられた充填具（３）と、
前記シート片（７），（７）の下縁部（１１）に設けられ被充填物を注ぎ出すための注出具（５）と、
前記シート片（７），（７）の下縁部（１１）に設けられ注出具（５）を上向きに吊り下げる吊下手段（２０）と
を有することを特徴とする袋状容器。
【請求項３】
可撓性を有するシート片（７），（７）とガセット片（１２）とにより吊り下げ可能な容器本体（１）が形成され、該容器本体（１）を吊り下げた状態で被充填物である栄養剤等の投与を行う袋状容器であって、
前記ガセット片（１２）は、容器本体（１）の内側に折り込まれるように、シート片（７），（７）の一方の側縁部（１３ａ）にのみ設けられており、
前記シート片（７），（７）の上縁部（１０）に設けられた充填具（３）と、
前記シート片（７），（７）の下縁部（１１）に設けられ被充填物を注ぎ出すための注出具（５）と、
前記シート片（７），（７）の上縁部（１０）で且つガセット片（１２）側の端部に設けられ容器本体（１）を傾斜した状態で吊り下げる吊下手段（９ａ）と、
前記シート片（７），（７）の下縁部（１１）に設けられ注出具（５）を上向きに吊り下げる吊下手段（２０）と
を有することを特徴とする袋状容器。
【請求項４】
前記シート片（７），（７）の上縁部（１０）の略中央部に設けられ投与を行う際に容器本体（１）を吊り下げる吊下手段（９ｂ）を備え、該吊下手段（９ｂ）が充填具（３）と吊下手段（９ａ）の間に配置されている請求項１又は３に記載の袋状容器。
【請求項５】
前記充填具（３）の注入口（２）は注出具（５）の注出口（６）よりも大きく形成されている請求項１乃至４の何れかに記載の袋状容器。
【請求項６】
前記注出具（５）は注出口の先端を閉塞するように一体的に形成され、該注出具（５）は注出口を連通すべく切断可能な切断手段が設けられている請求項１乃至５の何れかに記載の袋状容器。
【請求項７】
前記注出具（５）は、注ぎ口部（３１）と、該注ぎ口部（３１）に着脱自在に螺合するキャップ（４６）で構成されている請求項１乃至５の何れかに記載の袋状容器。
【請求項８】
前記充填具（３）が、前記シート片（７），（７）の上縁部（１０）における袋状にヒートシールされた部分に注入口を形成する破断手段（４５）によって構成されている請求項１乃至７の何れかに記載の袋状容器。
【発明の詳細な説明】
【０００１】
【発明の属する技術分野】
本発明は、流動性の被充填物を注出するための注出口を有する袋状容器に関し、特に、経腸栄養剤等が充填された容器を吊り下げ、注出具にパイプ等を接続して被充填物を注出する袋状容器に関する。
【０００２】
【従来の技術】
この種の容器は、重ね合わされた一対のシート片の上下縁部と両側縁部がヒートシールされて平袋状に形成された容器本体と、該容器本体の下縁部の内面側に挿入されて一対のシート片と共にヒートシールされて取り付けられた注出具とからなるものが公知である。
【０００３】
この容器は、注出具から容器本体内部に流動性の食品や飲料等の被充填物が充填され、注出具から前記被充填物を注出させて使用される。
具体的には、該容器に経腸栄養剤等が注出具から充填され、注出具が密封される。そして、病院で患者等に栄養剤を投与する目的から、容器を吊り下げ、注出具にパイプ等の注出口延長具を接続して該パイプの先端から被充填物を注出する。
【０００４】
【発明が解決しようとする課題】
前記従来の袋状容器は、図１０に示す如く病院等で複数個まとめて台車５１等で運搬する場合があるが、この場合に、容器５０を複数段に積み重ねている。しかしながら、従来の容器５０は平袋状であるため、複数段に積み重ねると滑り易く、台車５１から落下してしまうおそれがあった。
【０００５】
本発明は、上記従来の問題点に鑑みてなされたもので、複数まとめて運搬する場合に安定性を良くし、更に、容器本体に注出具と充填具とをそれぞれ設けることにより、容器本体の一部を切除することなく被充填物を容易且つ迅速に充填できることを課題とする。
【０００６】
【課題を解決するための手段】
本発明は、上記課題を解決するために袋状容器としてなされたものであり、その技術的手段は、可撓性を有するシート片７，７とガセット片１２とにより吊り下げ可能な容器本体１が形成され、該容器本体１を吊り下げた状態で被充填物である栄養剤等の投与を行う袋状容器であって、前記ガセット片１２は、容器本体１の内側に折り込まれるように、シート片７，７の一方の側縁部１３ａにのみ設けられており、前記シート片７，７の上縁部１０に設けられた充填具３と、前記シート片７，７の下縁部１１に設けられ被充填物を注ぎ出すための注出具５と、前記シート片７，７の上縁部１０で且つガセット片１２側の端部に設けられ容器本体１を傾斜した状態で吊り下げる吊下手段９ａとを有することにある。
また、前記と異なる本発明は、可撓性を有するシート片７，７とガセット片１２とにより吊り下げ可能な容器本体１が形成され、該容器本体１を吊り下げた状態で被充填物である栄養剤等の投与を行う袋状容器であって、前記ガセット片１２は、容器本体１の内側に折り込まれるように、シート片７，７の一方の側縁部１３ａにのみ設けられており、前記シート片７，７の上縁部１０に設けられた充填具３と、前記シート片７，７の下縁部１１に設けられ被充填物を注ぎ出すための注出具５と、前記シート片７，７の下縁部１１に設けられ注出具５を上向きに吊り下げる吊下手段２０とを有することにある。
また、前記と異なる本発明は、可撓性を有するシート片７，７とガセット片１２とにより吊り下げ可能な容器本体１が形成され、該容器本体１を吊り下げた状態で被充填物である栄養剤等の投与を行う袋状容器であって、前記ガセット片１２は、容器本体１の内側に折り込まれるように、シート片７，７の一方の側縁部１３ａにのみ設けられており、前記シート片７，７の上縁部１０に設けられた充填具３と、前記シート片７，７の下縁部１１に設けられ被充填物を注ぎ出すための注出具５と、前記シート片７，７の上縁部１０で且つガセット片１２側の端部に設けられ容器本体１を傾斜した状態で吊り下げる吊下手段９ａと、前記シート片７，７の下縁部１１に設けられ注出具５を上向きに吊り下げる吊下手段２０とを有することにある。
尚、上縁部１０及び下縁部１１とは、充填具３を上向きとした場合のそれぞれ該当する縁部をいう。
【０００７】
そして、容器本体１にはガセット片１２が設けられているため、その内容積を大きくできる。しかも、ガセット片１２は容器本体１の一方に設けられ、他方には設けられていないため、容器本体１は、ガセット片１２側を下方にして自立させた場合に安定性が良好となる。
尚、シート片７，７の下縁部１１に吊下手段２０が設けられている場合には、該吊下手段２０を介して注出具５を上向きにして容器本体１を吊り下げることができ、容器本体１を保持した状態で注出具５を簡単に切断することができる。
【０００８】
また、前記シート片７，７に充填具３が設けられていることにより、容器本体１を吊り下げ且つ容器本体１に被充填物を注ぎ出すパイプ等を接続した状態であっても、充填具３から容器本体１内に注入することができる。
【０００９】
また、前記シート片７，７の上縁部１０の略中央部に設けられ投与を行う際に容器本体１を吊り下げる吊下手段９ｂを備え、該吊下手段９ｂが充填具３と吊下手段９ａの間に配置されているのが好ましい。
前記充填具３の注入口２は注出具５の注出口６よりも大きく形成されているのが好ましい。
【００１０】
仮に、充填具３を設けていない場合には、容器はレトルト殺菌に対応すべく強力にヒートシールされているため、一片を他片から引き剥がすことが実際上不可能で、注入部を形成するためにはハサミ等で容器本体の一部を切除する等の作業を行う必要があるうえに、該注入部では、容器本体の開口部から湯がこぼれ落ちる等、湯等を容器本体内に確実に注ぐことが極めて困難となる。
しかしながら、上縁部１０に設けられた吊下手段９ａを介して容器本体１を吊り下げることにより、前記充填具３から水や湯を更に容易に容器本体１内に確実に注入することができる。
【００１１】
前記注出具５は注出口の先端を閉塞するように一体的に形成され、該注出具５は、注出口を連通すべく切断可能な切断手段が設けられているのが好ましい。
注出具５は注出口の先端を閉塞するように一体的に形成されているため、簡単な構成により注出具５を密封できる。
【００１２】
また、前記注出具５は、注ぎ口部３１と、該注ぎ口部３１に着脱自在に螺合するキャップ４６で構成されているのが好ましい。
また、前記充填具３が、前記シート片７，７の上縁部１０における袋状にヒートシールされた部分に注入口を形成する破断手段４５によって構成されていてもよい。
【００１３】
【発明の実施の形態】
以下、本発明の袋状容器の一実施形態について図面を参酌しつつ説明する。
本実施形態における袋状容器は、図１に示す如く、流動性の被充填物が収容可能な容器本体１と、該容器本体１の一方（上方）に設けられ且つ被充填物を容器本体１内に注入れるための注入口２を有する充填具３（液体を注ぎ入れ可能な手段）と、容器本体１の他方に設けられ且つ被充填物を注出するための注出口６を有する注出具５が設けられたものである。
【００１４】
前記容器本体１は、一対の可撓性を有するシート片７，７と、同じく可撓性を有するガセット片１２とから構成されている。具体的には、シート片７，７の一方の側縁部１３ａには、ガセット片１２の縁部１２ａがヒートシールにより接着され、シート片７，７の互いの上縁部１０、他方の側縁部１３ｂ及び下縁部１１がそれぞれヒートシールにより接着され、ここに容器本体１は袋状に形成されている。ガセット片１２は容器本体１の内側に二つ折りに折り畳まれ、その上下方向に沿って折込み縁部１２ｂが形成されている。尚、図１及び図２においてクロスハッチ部分がヒートシール部を示す。
【００１５】
シート片７，７及びガセット片１２は、二軸延伸ポリエステルフィルムや二軸延伸ポリアミドフィルム等よりなる外側層と、低密度ポリエチレン、高密度ポリエチレン、鎖状低密度ポリエチレン、ポリプロピレンやメタロセン系ポリエチレン等の熱融着性樹脂よりなる内側層とからなる多層ラミネートフィルム（また、必要によりエチレンビニアルコール共重合体やアルミニウム箔、酸化ケイ素等の無機物を蒸着したフィルム等のガスバアリアー性フィルム等を積層しても良い。）からなる。
【００１６】
前記上縁部１０は幅広部１０ａと幅狭部１０ｂとからなり、幅狭部１０ｂは前記ガセット片１２と反対側に設けられている。幅広部１０ａには、所定の間隔をおいて複数の吊下手段としての吊下孔９ａ，９ｂが穿設されている。かかる吊下孔９ａ，９ｂは、例えば上縁部１０の幅広部１０ａにおけるガセット片１２側の端部と、シート片７，７の略中央部に設けられている。前記充填具３は上縁部１０の幅狭部１０ｂに設けられている。
【００１７】
他方の側縁部１３ｂは、例えば直線部１５と該直線部１５の下部に設けられた傾斜部１６とからなる。一方の側縁部１３ａの下部（下縁部１１側）には、例えば三角状のシール部１８が形成され、該シール部１８には吊下手段としての吊下孔２０が形成されている。
【００１８】
前記充填具３は、前記シート片７，７の内側層と熱融着性を有する合成樹脂（例えば同種の樹脂）により形成され、図３に示す如く前記上縁部１０に挟持された状態でヒートシールされる取付け部２２と、該取付け部２２から上方に形成された注ぎ口部２４と、該口部２４の外周に形成されたネジ部２４ａに着脱自在に螺合されるキャップ２５とからなる。
【００１９】
取付け部２２と注ぎ口部２４とから充填具本体２６が構成され、充填具本体２６には、容器本体１内外に連通するように前記注入口２が形成されている。また、注入口２は、被充填物の充填後に、例えば図示省略のアルミ箔又はポリエステルフィルム等と熱融着性樹脂（イージーオープン性シーラント）のラミネート等よりなるフィルム蓋（インナーシール）で密封される。
【００２０】
前記注出具５は、図４に示す如く前記下縁部１１の略中央部に挟持された状態で取付け部３０と、該取付け部３０から下方に延設された注ぎ口部３１とからなる。注ぎ口部３１には前記注出口６が形成されると共に、先端に向けて次第に小径となるテーパー状の大径部３３と、先端が閉塞されたテーパー状の小径部３４とからなる。ここで、前記充填具３の注入口２の直径は、注出具５の注出口６直径よりも大きく設定されており、注ぎ口部３１基部の外径は、充填具本体２６外径よりも小さくなっている。
【００２１】
小径部３４には、その周方向に形成された周溝からなる切断手段３５が形成されており、小径部３４はその切断手段３５を介して切断可能である。また、小径部３４の切断手段３５よりも先端部には、摘み部３６が設けられている。尚、注出具５も前記充填具３と同様にシート片７，７の内側層と熱融着性を有する合成樹脂により形成されている。
【００２２】
上記構成からなる容器は、先ず、容器本体１が製袋され、該容器本体１の下縁部１１に注出具５を、また、上縁部１０に充填具３をヒートシールにより密封状に取り付ける。更に、充填具３から飲料や流動性食品や経腸栄養剤等の栄養剤などを容器本体１内に充填した後、フィルム蓋で密封され充填具３のネジ部２４ａにキャップ２５を螺合し、充填具３を閉塞する。このとき、容器本体１内は完全密封状態にすることが可能である。
【００２３】
そして、容器はレトルト殺菌槽にて高温殺菌処理された後に保管、流通される。このレトルト殺菌時においては、容器本体１のシート片７，７が耐熱性を有し且つ、そのシール部が高温高圧に耐え得るシール性を有しているために、シール部分が剥離することなく殺菌処理することができる。
また、注入口２はフィルム蓋で密封され、且つ注出具５は先端を閉塞した一体成形であるため、被充填物が漏れ出したりしない。
【００２４】
次に、例えば経腸栄養剤等が充填された容器を使用する場合について説明する。
先ず、病院等で複数の容器を運搬する場合には、図７に示す如く例えば台車４５に容器を載置するのであるが、各容器本体１は被充填物が充填されて膨れた状態となっているため、ガセット片１２の折込みが若干開いた状態となる。従って、かかるガセット片１２が下方となるように容器を載置すると、容器本体１の一方の側縁部１３ａが開脚した脚部となり、容器本体１は自立性を有する。
しかも、容器本体１の上方となる縁部には、ガセット片１２が設けられていないため、容器本体１は略三角形状となり、その自立性が良好となり安定する。
【００２５】
次に、病室等の所定の高さ位置に固定された被掛止手段としての吊下具４０を、容器本体１の下縁部１１の吊下孔２０に挿入して容器本体１を吊り下げ、注出具５を上向きにする。更に、看護婦等が容器本体１を吊り下げた状態で注出具５の小径部３４を切断する（図５参照）。小径部３６には切断手段３５が形成されていると共に、容器本体１を吊下具４０に吊り下げた状態で摘み部３６を回転させることができるため、小径部３４を容易に切断することができる。
【００２６】
小径部３４を切断することにより、注出具５を開口させることができ、更にその小径部３４に、患者に内容物である栄養剤等を供給するためのパイプ４１を外嵌し装着する。更に、容器を吊下具４０から取外し、容器本体１の上下を反転して注出具５を下方側に向けると共に、前記上縁部１０の略中央にある吊下孔９ｂに前記吊下具４０を挿入し、容器本体１を吊り下げる。そして、容器本体１内の栄養剤をパイプ４１から患者に投与することができる。
【００２７】
栄養剤等の投与後において、上縁部１０の端部に形成された吊下孔９ａに吊下具４０を挿入して吊り下げ直すと、容器本体１は図６に示す如く傾斜した状態となる。従って、充填具３も傾斜した状態となるため、前記キャップ２５が取り外された充填具本体２６から容器本体１内に湯や水等を容易に注ぎ入れることが可能となる。注出具５を介してパイプ４１に湯等を流し込むことにより、パイプ４１等の内壁を容易に洗浄すると共に、患者の水分補給を行うことができ、容器を病院等で使用する際の利便性を向上させることができるのである。
【００２８】
本発明は上記の実施の形態に限定されるものではなく、例えば、注出具５は、切断する構成以外に、図８に示す如く注ぎ口部３１にキャップ４６が着脱自在に螺合した構成であっても良い。かかる場合には、前記充填具３と同様に注ぎ口部３１の注出口６をフィルム蓋で密封するのが好ましい。尚、この場合、注出口６から充填することもできる。
【００２９】
また、液体を注ぎ入れ可能な手段としては、図９に示す如く、他方の側縁部１３ｂに切欠４３を形成することも可能である。即ち、シート片７，７を内外２層に構成し、外側層に前記切欠４３に連続する破断手段（外側層のフィルムにのみミシン目を形成する等）４５を形成する。そして、かかる切欠４３をきっかけにしてシート片７，７を破断手段４５に沿って破断して開口し、該開口から湯や水等を注ぎ入れることも可能である。
【００３０】
また、上記実施形態では、一対のシート片から容器本体１の一部を構成しているが、単体のシートを折り曲げても良く、シート片から容器本体１を形成する手段は特に限定されるものではない。しかも、シート片とガセット片とは別体の構成であったが、一枚のシート片を折り曲げてガセット片を構成することも可能である。
【００３１】
また、シート片及びガセット片の材質等も適宜設計変更可能であるが、ガスバリア性を有することにより収容された被充填物が酸素等のガスによって変質するおそれがなく、長期保存可能となってレトルト食品用として好ましい。
また、充填、殺菌後の容器（ガスバリア性を有すると否とにかかわらず）を流通させる際には、容器を脱酸素剤と共にガスバリアー性の外装袋に密封することが好ましい。
【００３２】
更に、充填具３や注出具５の形状及び材質等についても適宜設計変更可能である。
また、上縁部１０及び下縁部１１の吊下孔９ａ，９ｂ，２０の個数も特に限定されるものではない。
【００３３】
【発明の効果】
以上のように本発明は、可撓性を有するシート片とガセット片とにより吊り下げ可能な容器本体が形成され、しかも、シート片の上縁部には容器本体内に被充填物を注ぎ入れるための充填具が設けられ、前記シート片の下縁部には被充填物を注ぎ出すための注出具が設けられ、しかも、前記ガセット片は容器本体の内側に折り込まれるように、シート片の一方の側縁部に設けられ、他方の側縁部はガセット片が設けられていないので、容器本体の自立性が良好となり、複数の容器を積み重ねて運搬する必要がなく、運搬時に滑り落ちるという問題も解消できる。
【００３４】
しかも、前記シート片に充填具が設けられていることにより、容器本体を吊り下げて使用する際に、はさみ等で容器本体を切除することなく、被充填物を充填具から容易且つ迅速に充填できる。
【００３５】
しかも、前記注出具は注出口の先端を閉塞するように一体的に形成され、該注出具は、注出口を連通すべく切断可能な切断手段が設けられている場合には、簡単な構成により注出具を密封できると共に、簡単に注出具を開口させて使用することができる。
【００３６】
更に、前記他方の縁部には、吊下手段が設けられている場合には、該掛止手段を介して注出具を上向きにして容器本体を吊り下げることができ、容器本体を保持した状態で注出具を簡単に切断することができる。
【図面の簡単な説明】
【図１】本発明の一実施の形態を示す全体斜視図。
【図２】同全体正面図。
【図３】充填具を示す一部断面正面図。
【図４】注出具を示す一部断面正面図。
【図５】注出具を切断した状態を示す斜視図。
【図６】容器本体の上縁部を吊り下げた状態の斜視図。
【図７】複数の容器を台車に積んだ状態の断面図。
【図８】本発明の他の実施の形態を示す要部正面図。
【図９】本発明の他の実施の形態を示す正面図。
【図１０】従来例を示す概略図。
【符号の説明】
１…容器本体、３…充填具、５…注出具、７…シート片、９ａ…吊下孔（吊下手段）、９ｂ…吊下孔（吊下手段）、１０…上縁部、１１…下縁部、１２…ガセット片、１３ａ…一方の側縁部、１３ｂ…他方の側縁部、２０…吊下孔（吊下手段）
【図１】
0004153084.tif 000002
【図２】
0004153084.tif 000003
【図３】
0004153084.tif 000004
【図４】
0004153084.tif 000005
【図５】
0004153084.tif 000006
【図６】
0004153084.tif 000007
【図７】
0004153084.tif 000008
【図８】
0004153084.tif 000009
【図９】
0004153084.tif 000010
【図１０】
0004153084.tif 000011